(57)【特許請求の範囲】
【請求項１】
ズーム値に応じてズームレンズを段階的に移動させて得た光学系からの画像を表示する光学ズーム機能を備えた撮像装置において、
ユーザのズーム操作に基づいて１段のズーム値を特定し、この特定ズーム値を含み、且つ当該特定ズーム値の前後の段のズーム値からなる複数段のズーム値を取得するズーム値取得手段と、
前記ズーム値取得手段によって取得されたズーム値に対応する画角枠表示情報を取得する画角枠表示情報取得手段と、
前記画角枠表示情報取得手段によって取得された画角枠表示情報から画角枠像を生成する画角枠生成手段と、
前記画角枠生成手段によって生成された複数段のズーム値に対応する複数の画角枠像を前記光学系からの画像に重ねて同時に表示する画角枠表示手段と、
を備えたことを特徴とする撮像装置。
【請求項２】
ズーム値を指定若しくは設定するズーム値設定手段を備え、
前記ズーム値取得手段は、前記ズーム値設定手段によって設定されたズーム値を前記特定ズーム値とすることを特徴とする請求項１に記載の撮像装置。
【請求項３】
ズームレンズの移動指示を行うズーム動作指示手段と、このズーム動作指示手段によるズーム動作指示の終了を検出するズーム終了指示検出手段を備え、
前記ズーム値取得手段は、前記ズーム終了指示検出手段によってズーム動作指示の終了が検出されるまでは、前記ズーム動作指示手段によるズーム動作指示に応じて移動する前記ズームレンズの現在位置に対応するズーム値を前記特定ズーム値とすることを特徴とする請求項１に記載の撮像装置。
【請求項４】
前記画角枠表示手段は、前記特定ズーム値に対応する画角枠像と、前記特定ズーム値以外のズーム値に対応する画角枠像とを、互いに異なる色で表示することを特徴とする請求項１乃至３のいずれか１項に記載の撮像装置。
【請求項５】
前記画角枠表示手段は、前記画角枠表示情報取得手段によって取得された画角枠表示情報に基づいて表示する画角枠上または該画角枠の近傍に該画角枠に対応しているズーム値を表示することを特徴とする請求項１に記載の撮像装置。
【請求項６】
段階的に変化するズーム値に応じてズームレンズを段階的に移動させるステップと、
前記ズームレンズを含む光学系からの画像を表示するステップと、
ユーザのズーム操作に基づいて１段のズーム値を特定し、この特定ズーム値を含み、且つ当該特定ズーム値の前後の段のズーム値からなる複数段のズーム値を取得するステップと、
前記取得されたズーム値に対応する画角枠表示情報を取得するステップと、
前記取得した画角枠表示情報から画角枠像を生成するステップと、
前記生成された複数段のズーム値に対応する複数の画角枠像を前記光学系からの画像に重ねて同時に表示するステップと、
を備えたことを特徴とするズーム時の画角枠表示方法。
【請求項７】
コンピュータに、
段階的に変化するズーム値に応じてズームレンズを段階的に移動させる機能と、
前記ズームレンズを含む光学系からの画像を表示する機能と、
ユーザのズーム操作に基づいて１段のズーム値を特定し、この特定ズーム値を含み、且つ当該特定ズーム値の前後の段のズーム値からなる複数段のズーム値を取得する機能と、
前記取得されたズーム値に対応する画角枠表示情報を取得する機能と、
前記取得した画角枠表示情報から画角枠像を生成する機能と、
前記生成された複数段のズーム値に対応する複数の画角枠像を前記光学系からの画像に重ねて同時に表示する機能と、
を実現させるためのプログラム。
【発明の詳細な説明】
【技術分野】
【０００１】
本発明はデジタルカメラ等の撮像装置に係るズーム時の画角表示技術に関する。
【背景技術】
【０００２】
デジタルカメラなど画像を撮影、記録する撮像装置でズーム機能を備えたものがある。ズーム機能は大別して２つに分類される。１つは光学レンズを移動して撮像素子に結像させる画像の倍率そのものを変化させる光学ズームであり、他の１つは撮像素子に結像した画像の一部を切り出してそれをデジタル処理することによって拡大／縮小する電子ズームである。光学ズームでは撮像素子に結像した画像を間引いて逐次液晶画面に表示しており、電子ズームではデジタル処理することによって拡大／縮小した画像を逐次液晶画面に表示している。
【０００３】
光学ズームは目的の画像を撮像素子全体に結像させることができ、明瞭な画像を得ることが可能であるが、目的の画角を決めるまでに繰り返しズームモータを駆動してレンズを機械的に移動させるので時間がかかり、所望の構図が得られるか否かはズーム動作が完了するまでわからないといった課題があった。
【０００４】
これに対し、電子ズーム時に、全体画像上に電子ズームに対応したエリアの画角枠を重ねて表示することにより、被写体を正確且つ容易に録画画角に収めることができるようにしたファインダ表示装置がある（例えば、特許文献１参照）。
【０００５】
また、ズームプレビューボタンを押したままズームスイッチを操作すると、広角端の画面にズームスイッチの操作位置に対応するズーム画角を示すズーム画角表示記号（例えば枠線）を画面の中心に表示し、スイッチの操作が停止されるとズーム画角表示記号の範囲内の画像を画面に表示するようにして表示されている画像と比較しながら任意のズーム画角における撮像範囲を確認することを可能にし、画面構成を決め易くすると共にズーム画角の設定を容易にしたデジタルカメラが開示されている（例えば、特許文献２参照）。
【０００６】
また、光学ズームの際、撮影画角（記録媒体に記録する撮影画像の画角）を設定した後、光学系により撮影画角より広角側に撮影画像の画角が変化した場合に設定された撮影画角を示す枠を表示することにより所望の画角で適正に撮影できるように構成したデジタルカメラが開示されている（例えば、特許文献３参照）。
【０００７】
【特許文献１】実開平５−９１０７１号公報
【特許文献２】特開平８−１８８３３号公報
【特許文献３】特開２００４−３２５２４号公報
【発明の開示】
【発明が解決しようとする課題】
【０００８】
上記特許文献１に開示のファインダ表示装置および特許文献２に開示のデジタルカメラでは、電子ズーム時に指定されたズーム値に対応する画角枠を表示するのでズームレンズの移動時間を要しないことから画角枠を表示する時間がほとんどかからず、ユーザは画角枠をみて容易に被写体画像を画角枠に収まるようすることができる。しかし、画角枠に収まるようにした画像が必ずしもユーザの意図する構図になるとは限らない。この場合、ズーム値を変更して構図決定を繰り返す必要が生じるという課題があった。また、光学ズームにおいては画角枠が表示されないので、電子ズームと光学ズームへの切替え操作を繰り返して構図決定を行わなければならず、使い勝手が悪いといった課題があった。
【０００９】
また、上記特許文献３に開示の電子カメラでは、光学ズームの際、撮影画像が設定されている撮影画角より広角側に変化すると撮影画角を示す枠を表示するので、ユーザは所望の画角からはずれないようにして画像の構図を決定できる。しかしながら、設定した撮影画角で決定した画像の構図が必ずしも意図した撮影効果を生む構図とは限らないので、このような場合には撮影画角を設定して光学ズームを繰り返さなければならず、構図変更に手間取るといった課題があった。
【００１０】
本発明は上記課題を解決するためになされたものであり、光学ズームでの撮影時に、画角枠をいくつか表示してズーム動作完了後の構図をわかりやすくし、所望の構図を決定し易い撮像装置、ズーム時の画角枠表示方法、およびプログラムの提供を目的とする。
【課題を解決するための手段】
【００１１】
上記課題を解決するために、請求項１に記載の発明では、ズーム値に応じてズームレンズを段階的に移動させて得た光学系からの画像を表示する光学ズーム機能を備えた撮像装置において、ユーザのズーム操作に基づいて１段のズーム値を特定し、この特定ズーム値を含み、且つ当該特定ズーム値の前後の段のズーム値からなる複数段のズーム値を取得するズーム値取得手段と、ズーム値取得手段によって取得されたズーム値に対応する画角枠表示情報を取得する画角枠表示情報取得手段と、画角枠表示情報取得手段によって取得された画角枠表示情報から画角枠像を生成する画角枠生成手段と、画角枠生成手段によって生成された複数段のズーム値に対応する複数の画角枠像を光学系からの画像に重ねて同時に表示する画角枠表示手段と、を備えたことを特徴とする。
【００１２】
また、請求項２に記載の発明では、ズーム値を指定若しくは設定するズーム値設定手段を備え、ズーム値取得手段は、ズーム値設定手段によって設定されたズーム値を特定ズーム値とすることを特徴とする。
【００１３】
また、請求項３に記載の発明では、ズームレンズの移動指示を行うズーム動作指示手段と、このズーム動作指示手段によるズーム動作指示の終了を検出するズーム終了指示検出手段を備え、ズーム値取得手段は、ズーム終了指示検出手段によってズーム動作指示の終了が検出されるまでは、ズーム動作指示手段によるズーム動作指示に応じて移動するズームレンズの現在位置に対応するズーム値を特定ズーム値とすることを特徴とする。
【００１６】
また、請求項４に記載の発明では、画角枠表示手段は、特定ズーム値に対応する画角枠像と、特定ズーム値以外のズーム値に対応する画角枠像とを、互いに異なる色で表示することを特徴とする。
【００１７】
また、請求項５に記載の発明では、画角枠表示手段は、画角枠表示情報取得手段によって取得された画角枠表示情報に基づいて表示する画角枠上または該画角枠の近傍に該画角枠に対応しているズーム値を表示することを特徴とする。
【００１８】
また、請求項６に記載の発明では、段階的に変化するズーム値に応じてズームレンズを段階的に移動させるステップと、ズームレンズを含む光学系からの画像を表示するステップと、ユーザのズーム操作に基づいて１段のズーム値を特定し、この特定ズーム値を含み、且つ当該特定ズーム値の前後の段のズーム値からなる複数段のズーム値を取得するステップと、取得されたズーム値に対応する画角枠表示情報を取得するステップと、取得した画角枠表示情報から画角枠像を生成するステップと、生成された複数段のズーム値に対応する複数の画角枠像を光学系からの画像に重ねて同時に表示するステップと、を備えたことを特徴とする。
【００２０】
また、請求項７に記載の発明は、コンピュータに、段階的に変化するズーム値に応じてズームレンズを段階的に移動させる機能と、ズームレンズを含む光学系からの画像を表示する機能と、ユーザのズーム操作に基づいて１段のズーム値を特定し、この特定ズーム値を含み、且つ当該特定ズーム値の前後の段のズーム値からなる複数段のズーム値を取得する機能と、取得されたズーム値に対応する画角枠表示情報を取得する機能と、取得した画角枠表示情報から画角枠像を生成する機能と、生成された複数段のズーム値に対応する複数の画角枠像を光学系からの画像に重ねて同時に表示する機能と、を実現させるためのプログラムである。
【発明の効果】
【００２１】
本発明によれば、ズームレンズの位置に応じていくつかの画角枠を表示するので、ズーム動作完了後の構図がわかり易く、無駄なズーム変更動作を減らすことができ、構図決定がし易い。
【発明を実施するための最良の形態】
【００２２】
本明細書において、ズーム値とはズーム操作により変化するズームレンズの位置に対応する値を意味し、焦点距離、ズーム倍率、ズーム段、画角を含む。また、本実施形態において、撮像装置はズーム機能として少なくとも光学ズーム機能を備えているものとする。
【００２３】
図１は、本発明に係る撮像装置の一実施例としてのデジタルカメラの外観を示す図であり、ここでは主として正面（図１（ａ））及び背面（図１（ｂ））の外観を示す。デジタルカメラ１００は、図１（ａ）に示すように正面側に撮像レンズ（レンズ群）２を有している。また、デジタルカメラ１００の背面には図１（ｂ）に示すように、モードダイアル３、液晶モニタ画面４、カーソルキー５、ＳＥＴキー６、ズームボタン７（Ｗボタン７−１、Ｔボタン７−２）等が設けられている。また、上面にはシャッターキー８、電源ボタン９が設けられている。なお、側部には図示されていないが、パーソナルコンピュータ（以下、パソコン）やモデム等の外部装置とＵＳＢケーブルに接続する場合に用いるＵＳＢ端子接続部が設けられている。
【００２４】
図２は、図１に示したデジタルカメラの電子回路構成の一実施例を示す図である。図２で、デジタルカメラ１００は、基本モードである撮影モードにおいて、ズームレンズ１２−１を移動させて光学ズーム動作を行わせるズーム駆動部１１−１、フォーカスレンズ１２−２を移動させて合焦動作を行わせるＡＦ駆動部１１−２、ズームレンズ１２−１及びフォーカスレンズ１２−２を含む撮像レンズ２を構成するレンズ光学系１２、撮像素子であるＣＣＤ１３、タイミング発生器（ＴＧ）１４、垂直ドライバ１５、サンプルホールド回路（Ｓ／Ｈ）１６、Ａ／Ｄ変換器１７、カラープロセス回路１８、ＤＭＡ（Direct Memory Access）コントローラ１９、ＤＲＡＭインターフェイス（Ｉ／Ｆ）２０、ＤＲＡＭ２１、制御部２２、ＶＲＡＭコントローラ２３、ＶＲＡＭ２４、デジタルビデオエンコーダ２５、表示部２６、ＪＰＥＧ回路２７、保存メモリ２８、およびキー入力部３０を備えている。
【００２５】
撮影モードでのモニタリング状態においては、ズーム駆動部１１−１は、図３（ａ）に示すように、光学ズーム指示があると制御部２２からの制御信号に基づいて図示しないズームレンズ駆動モータを駆動してズームレンズ１２−１を光軸に沿って前後に移動させることによりＣＣＤ１３に結像させる画像の倍率そのものを変化させる。
また、ＡＦ駆動部１１−２は図示しないフォーカスレンズ駆動モータを駆動してフォーカスレンズ１２−２を移動させる。  
そして、上記撮像レンズ２を構成する光学系１２の撮影光軸後方に配置された撮像素子であるＣＣＤ１３が、タイミング発生器（ＴＧ）１４、垂直ドライバ１５によって走査駆動され、一定周期毎に結像した光像に対応する光電変換出力を１フレーム分出力する。
【００２６】
ＣＣＤ１３は被写体の二次元画像を撮像する固体撮像デバイスであり、典型的には毎秒数十フレームの画像を撮像する。なお、撮像素子はＣＣＤに限定されずＣＭＯＳ（Complementary Metal Oxide Semiconductor）などの固体撮像デバイスでもよい。
【００２７】
この光電変換出力は、アナログ値の信号の状態でＲＧＢの各原色成分毎に適宜ゲイン調整された後に、サンプルホールド回路（Ｓ／Ｈ）１６でサンプルホールドされ、Ａ／Ｄ変換器１７でデジタルデータ（画素）に変換され、カラープロセス回路１８で画像補間処理及びγ補正処理を含むカラープロセス処理が行われて、デジタル値の輝度信号Ｙ及び色差信号Ｃｂ、Ｃｒが生成され、ＤＭＡ（Direct Memory  Access）コントローラ１９に出力される。
【００２８】
ＤＭＡコントローラ１９は、カラープロセス回路１８の出力する輝度信号Ｙ及び色差信号Ｃｂ、Ｃｒを、同じくカラープロセス回路１８からの複合（composite）同期信号、メモリ書き込みイネーブル信号、及びクロック信号を用いてＤＲＡＭインターフェイス（Ｉ／Ｆ）２０を介してバッファメモリとして使用されるＤＲＡＭ２１にＤＭＡ転送する。
【００２９】
制御部２２は、このデジタルカメラ１００全体の制御動作を司るものであり、ＣＰＵ若しくはＭＰＵ（以下、ＣＰＵ）と、後述するようなズーム操作時の画角表示動作制御を含む該ＣＰＵで実行される動作プログラムを記憶したフラッシュメモリ等のプログラム格納メモリ、及びワークメモリとして使用されるＲＡＭ等により構成され、上記輝度及び色差信号のＤＲＡＭ２１へのＤＭＡ転送終了後に、この輝度及び色差信号をＤＲＡＭインターフェイス２０を介してＤＲＡＭ２１から読出し、ＶＲＡＭコントローラ２３を介してＶＲＡＭ２４に書込む。
【００３０】
制御部２２は、また、キー入力部３０からの状態信号に対応してフラッシュメモリ等のプログラム格納用メモリに格納されている各モードに対応の処理プログラムやメニューデータを取り出して、デジタルカメラ１００の各機能の実行制御、例えば、本発明に基づくズーム表示制御動作や、光学ズーム時のズームレンズの動作制御や、光学ズーム時のズーム画角表示制御のほか、電子ズームや、スルー表示、自動合焦、撮影、記録、及び記録した画像の再生・表示等の実行制御等や機能選択時の機能選択メニューの表示制御、設定画面の表示制御等を行う。  
【００３１】
デジタルビデオエンコーダ２５は、上記輝度及び色差信号をＶＲＡＭコントローラ２３を介してＶＲＡＭ２４から定期的に読み出し、これらのデータを基にビデオ信号を生成して上記表示部２６に出力する。
【００３２】
表示部２６は、上述したように撮影モード時にはモニタ表示部（電子ファインダ）として機能するもので、デジタルビデオエンコーダ２５からのビデオ信号に基づいた表示を行うことで、その時点でＶＲＡＭコントローラ２３から取込んでいる画像情報に基づく画像をリアルタイムに液晶モニタ画面４に表示することになる。
【００３３】
制御部２２は合焦指示に応じてその時点でＣＣＤ１３から取込んでいる１フレーム分の輝度及び色差信号のＤＲＡＭ２１へのＤＭＡ転送の終了後、直ちにＣＣＤ１３からのＤＲＡＭ２１への経路を停止し、記録保存の状態に遷移する。
【００３４】
この保存記録の状態では、制御部２２がＤＲＡＭ２１に書込まれている１フレーム分の輝度及び色差信号をＤＲＡＭインターフェイス２０を介してＹ、Ｃｂ、Ｃｒの各コンポーネント毎に縦８画素×横８画素の基本ブロックと呼称される単位で読み出してＪＰＥＧ（Joint Photograph cording Experts Group）回路２７に書込み、このＪＰＥＧ回路２７でＡＤＣＴ（Adaptive Discrete Cosine Transform：適応離散コサイン変換）、エントロピー符号化方式であるハフマン符号化等の処理によりデータ圧縮する。そして得た符号データを１画像のデータファイルとしてＪＰＥＧ回路２７から読出し、保存メモリ２８に記録保存する。また、１フレーム分の輝度及び色差信号の圧縮処理及び保存メモリ２８への全圧縮データの書込み終了に伴って、制御部２２はＣＣＤ１３からＤＲＡＭ２１への経路を再び起動する。
【００３５】
また、基本モードである再生モード時には、制御部２２が保存メモリ２８に記録されている画像データを選択的に読出し、ＪＰＥＧ回路２７で画像撮影モード時にデータ圧縮した手順とまったく逆の手順で圧縮されている画像データを伸張し、伸張した画像データをＶＲＡＭコントローラ２３を介してＶＲＡＭ２４に展開して記憶させた上で、このＶＲＡＭ２４から定期的に読出し、これらの画像データを元にビデオ信号を生成して表示部２６で再生出力させる。
【００３６】
上記ＪＰＥＧ回路２７は複数の圧縮率に対応しており、圧縮率に対応させて記憶するモードには圧縮率の低い高解像度（一般に、高精細、ファイン、ノーマルなどと呼ばれる）に対応するモードと圧縮率の高い低解像度（一般にエコノミーなどと呼ばれる）モードがある。  
また、高画素数から低画素数にも対応している。例えば、ＳＸＧＡ（１６００×１２００）、ＸＧＡ（１０２４×７８６）、ＳＶＧＡ（８００×６００）、ＶＧＡ（６４０×４８０）、ＱＶＧＡ（３２０×２４０）等と呼ばれる記録画素サイズがある。
【００３７】
保存メモリ２８は、内蔵メモリ（フラッシュメモリ）やハードディスク、あるいは着脱可能なメモリカード等の記録媒体からなり画像データや撮影情報等を保存記録する。
【００３８】
キー入力部３０は、上述したモードダイアル３、カーソルキー５、ＳＥＴキー６、ズームボタン７（Ｗボタン７−１、Ｔボタン７−２）、シャッターキー８、および電源ボタン９と、キーが操作されると操作されたキーの操作信号を生成して制御部２２に送出するキー処理部（図示せず）等から構成されている。
【００３９】
モードダイアル３は撮影モードや再生モードの選択を行うものである。ユーザはモードダイアル３を操作して、（静止画）通常撮影モード、マクロ撮影モード、連写モード、速写モード、・・、動画撮影モード、・・・等の撮影モードを選択することができる。
【００４０】
カーソルキー５はモード設定やメニュー選択等に際して液晶モニタ画面４に表示されるメニューやアイコン等をカーソルでポイント（指定）する際に操作するキーであり、カーソルキー５の操作によりカーソルを上下又は左右に移動させることができる。また、ＳＥＴキー６はカーソルキー５によってカーソル表示されている項目を選択設定若しくは確認する際に押すキーである。
【００４１】
ズームボタン７は、ズーム操作に用いられ、光学ズームの場合はズームボタン７（Ｗボタン７−１またはＴボタン７−２）の操作に対応してズームレンズ（可変焦点距離レンズ）１２−１がワイド側またテレ側に移動され(図３（ａ）、（ｂ）)、ズームボタン７の操作に対応してズーム値が決定され、ズーム値の変化に追従して画角が実際に変化し、液晶モニタ画面４にはワイド（広角）画像又はテレ（望遠）画像が表示される。また、ズーム動作に応じて画角枠が表示される。
【００４２】
シャッターキー８は、撮影時にレリーズ操作を行うもので、２段階のストロークを有しており、１段目の操作（半押し状態）でオートフォーカス（ＡＦ）と自動露出（ＡＥ）を行わせるための合焦指示信号を発生し、２段目の操作（全押し状態）で撮影処理を行うための撮影指示信号を発生する。また、シャッターキー８を点灯若しくは点滅可能な構成としてもよく、発光ダイオード等を用いて赤色若しくは緑色等に点灯若しくは点滅可能に構成してもよい。
【００４３】
図３は光学ズームの概念図である。光学ズームは制御部２２の制御下でズーム駆動部１１がズームモータを駆動して、図３（ａ）、（ｃ）に示すようにズームレンズ１２−１の位置を移動させることにより、焦点距離ｆ、ｆ’を変化させて行う。ズームレンズ１２−１の移動によって図３（ｂ）、（ｄ）に示すようにＣＣＤ１３に結像される画像サイズが変化する。
【００４４】
（ズーム画角表示方法）  
画角は表示範囲を角度で示すものであり、ズームレンズの焦点距離の変化に追従して変化する。デジタルカメラ等の撮像装置で撮影を行なう場合、通常、液晶モニタ画面に表示されるスルー画像を見て構図を確認するが、光学ズームの場合、ズームボタン７を押して構図を変える場合、ユーザにとって、ズームレンズの動作が完了するまでどのような画角（表示範囲）の構図になるかがわからない。  
本発明のズーム画角表示方法は、ズーム動作中（若しくはズームボタン７の押し下げ中）に画面上にズーム停止位置、例えば、予め決められているズーム段数、若しくはズームボタン７を開放した際に決定されるズーム倍率に対応したズームレンズ停止位置に対応した画角枠を表示し、ズーム動作完了後（若しくはズーム動作前）にどのような構図になるかをユーザにとって分かり易くする。
【００４５】
図４は本発明に基づくズーム画角表示方法の説明図であり、図４で、符号４１はスルー画像、符号４２−１、４２−２、４２−３はズーム動作に応じて表示される画角枠を示す。図４の例で、ユーザがズームボタン７を押すと、スルー画像４１に重ねて画角枠４２−１、４２−２、４２−３、・・・が表示される。例えば、図５に示すようなズーム段（ズーム倍率）とズーム枠の表示座標との対応テーブル（ズーム画角対応テーブル）を用いて液晶モニタ４上に画角枠４２−１、４２−２、４２−３、・・・を表示することができる。  
なお、全ズーム段数に対応する画角枠を液晶モニタ４に表示するとスルー画像が見難くなるので指定されたズーム段の前後のいくつか（前後１つずつ（計３つ）若しくは前後２つずつ（計５つ））の画角枠を表示することが望ましい。
【００４６】
また、光学ズーム動作（つまり、ズームレンズ１２−１の移動動作が）ズームボタン７を開放（レリーズ）した際に停止するように構成されている場合は、ズームボタン７の押し下げ中はズーム値の変化に応じてズーム画角対応テーブル（図５）を用いて液晶モニタ４上に画角枠を表示するようにしてもよい。
【００４７】
図５はズーム画角対応テーブルの一実施例を示す図であり、ズーム段（ズーム倍率）とズーム段に対応して表示される画角枠の４隅の座標とを対応付けた例である。図５で符号５０は予めメモリに登録またはプログラムのテーブル定数として記憶されているズーム画角対応テーブルであり、符号５１はズーム段数を記憶したズーム段数記憶欄、符号５２はズーム段に対応した画角枠の４隅の表示画像上の座標を記憶した画角枠表示座標記憶欄である。なお、図５の例ではズーム段数（ズーム倍率）に画角枠表示座標を対応付けたが、焦点距離に画角枠表示座標を対応付けるようにしてもよい。
【００４８】
図６はデジタルカメラ１００の撮影時の動作例を示すフローチャートであり、このフローチャートはデジタルカメラ１００に本発明のズーム時の画角枠表示機能（ステップＳ３〜Ｓ６に相当）を実現させるためのプログラムを説明するためのものである。  
以下に示す処理は基本的に制御部２２が予めフラッシュメモリ等のプログラムメモリに記憶されたプログラムに従って実行する例で説明するが、全ての機能をプログラムメモリに格納する必要はなく、必要に応じて、その一部若しくは全部をネットワークを介して受信して実現するようにしてもよい。以下、図１〜図６に基いて説明する。なお、デジタルカメラ１００が光学ズームと電子ズームを選択するように構成されている場合は、光学ズームが選択されているものとする。
【００４９】
デジタルカメラ１の電源がオンすると、制御部１０は、まず、例えばＲＡＭ、ＤＲＡＭ２１、ＶＲＡＭ２７のクリアや、内蔵レジスタの設定等、必要な初期設定処理を実行する（ステップＳ１）。
【００５０】
次に、撮影モードが選択されると、制御部２２はその時点のズーム値に対応した焦点距離でＡＥ処理を実行し、光学系１２からの被写体像を基にＣＣＤ１３から画像データを得ると共に自動ホワイトバランス（ＡＷＢ）処理により光源の色に対応したホワイトバランスになるようにカラープロセス回路１８で調整を施した上で、ＤＭＡコントローラ１９及びＤＲＡＭインターフェイス（Ｉ／Ｆ）２０を介してＤＲＡＭ２１にＤＭＡ転送し、ＤＲＡＭ２１に取り込んだ画像データから画素数を間引いたビデオスルー画像データでＶＲＡＭ２７を書き換えて表示部２６の液晶モニタ画面４にスルー表示する（ステップＳ２）。
【００５１】
ユーザはズームボタン７（Ｗボタン７−１、Ｔボタン７−２）を押すことにより光学ズーム段数を設定できるので、制御部２２はキー入力部３０からの信号を調べ、ズームボタン７が操作されたか否かを調べ、ズームボタン７が操作された場合はステップＳ４に進み、そうでない場合はステップＳ６に進む（ステップＳ３）。
【００５２】
制御部２２は上記ステップＳ３で指定されたズーム段数で図４に示したようなズーム画角対応テーブル５０のズーム段記憶欄５１をサーチして指定されたズーム段に対応する画角枠の表示座標値と指定されたズーム段の前後のズーム段に対応する画角枠の表示座標値を取得し（ステップＳ４）、取得した各表示座標値を基にそれぞれの画角枠（データ）を生成し（ステップＳ５）、液晶モニタ画面４に表示されているスルー画像に重ねて表示する（ステップＳ６）。
【００５３】
制御部２２は上記ステップＳ３で指定されたズーム段数を基にズーム駆動部１１−１に制御信号を送り、指定されたズーム段数に対応する位置までズームレンズ１２−１を移動させる（ステップＳ７）。
【００５４】
制御部２２はキー入力部３１からの信号を調べ、シャッターキー８が半押しされた場合はステップＳ９に進み、押されていない場合はステップＳ２に戻る（ステップＳ８）。
【００５５】
制御部２２はＡＦ駆動部１１−２を制御して自動合焦処理を行わせ、自動合焦処理が終わると（つまり、フォーカスレンズを指定された合焦位置に移動させて合焦動作を行わせると共に絞り制御を行い合焦処理が終わると）合焦位置をロックしてステップＳ１０に進む。なお、図示していないが合焦動作中もスルー画像は表示される（ステップＳ９）。
【００５６】
制御部２２はキー入力部３１からの信号を調べてシャッターキー８が全押し操作されたか否かを判定し、シャッターキー８が全押しされた場合はステップＳ１１に進み、そうでない場合はステップＳ９に戻る（ステップＳ１０）。
【００５７】
シャッターキー８が全押しされた場合は、その時点で直ちにＣＣＤ１３からのＤＲＡＭ２１への経路を停止してスルー画像取得時とは異なる本撮影時のＣＣＤ駆動方式への切替を実行して画像データを取り込み、ＪＰＥＧ回路２６で画像圧縮処理を施し、この圧縮データからなる画像ファイルを保存メモリ２４に記録し、１フレーム分の撮影処理を終了する（ステップＳ１１）。
【００５８】
上記図６のフローチャートに示した動作により、ズームレンズが指定されたズーム段に対応する位置まで移動する間はズームレンズ１２−１の現在位置に対応するズーム段に対応付けられた画角枠をスルー画像に重ねて表示するので、光学ズームの動作完了を待たなくても画像の範囲を確認して構図調整ができる。また、ズームレンズ１２−１の現在位置に対応するズーム段の前後のいくつかのズーム段に対応付けられた画角枠を表示するので、構図の比較ができ、構図変更が必要に応じてスムースに行える。
【００５９】
なお、上記図６に示したフローチャートではステップＳ７でズームレンズ１２−１の移動を行うように示したが、実際にはステップＳ７のズームレンズ１２−１の動作と、ステップＳ２〜ステップＳ６の動作は並行させて行うことが望ましい。
また、上記ステップＳ４では指定されたズーム段に対応する画角枠の表示座標値と指定されたズーム段の前後のズーム段に対応する画角枠の表示座標値を取得するようにしたが、指定されたズーム段の前後の複数のズーム段（例えば、前後２段ずつのズーム段）に対応する画角枠の表示座標値を取得するようにしてもよい。
また、上記図６のフローチャートのステップＳ６でズーム画角を表示する際、指定されたズーム段に対応する画角枠（例えば、図４の画角枠４２−２）と、その前後のズーム段に対応付けられている画角枠（例えば、図４の画角枠４２−１、４２−３）の表示色を異なるようにしてもよい。
＜変形例＞
【００６０】
上記図６のフローチャートではズームボタン７の操作によりズーム段が指定される場合を例としたが、光学ズーム動作（つまり、ズームレンズ１２−１の移動動作が）がズームボタン７を開放（レリーズ）した際に停止されるように構成されている場合は、ズームボタン７の押し下げ中はズームレンズ１２の位置の変化に追従したズーム段の変化に応じてズーム画角対応テーブル（図５）を用いて液晶モニタ４上に画角枠を表示する例について説明する。
【００６１】
図７は変形例に係わるデジタルカメラ１００の撮影時の動作例を示すフローチャートであり、ステップＳ１、Ｓ２およびステップＳ８以降の動作は図６に示したフローチャートのステップ１、Ｓ２およびステップＳ８以降の動作と同様である。
【００６２】
図７で、スルー画像が表示されると、ユーザはズームボタン７（Ｗボタン７−１、Ｔボタン７−２）を押すことによりズームレンズ１２−７を移動させ、ユーザがズームキー７を開放（レリーズ）するとズームレンズ１２−７の動作を停止させるので、制御部２２はキー入力部３０からの信号を基にズームボタン７が押されているか否かを調べ、ズームボタン７が押された場合はステップＳ３−２に進み、そうでない場合はステップＳ８に進む（ステップＳ３−１）。
【００６３】
ズームキー７が押されると、制御部２２はキー入力部３０からの信号を基にズームボタン７が開放されたか否かを調べ、ズームボタン７が開放された場合はステップＳ３−３に進み、そうでない場合はステップＳ４−１に進む（ステップＳ３−２）。
【００６４】
ズームボタン７が開放された場合は、制御部２２はズームレンズ１２−１の移動を停止し、ステップＳ８に進む（ステップＳ３−３）。
【００６５】
制御部２２は、ズームボタン７が押されている間は、現在のズームレンズ１２−１の位置をズーム駆動部１１−１からの信号を基に取得し、取得したズームレンズ１２−１の位置から現在のズーム倍率を算出し（ステップＳ４−１）、算出されたズーム倍率を基に図７に示したようなズーム画角対応テーブル７０のズーム段記憶欄７１をサーチし、算出されたズーム倍率に一致または最も近いズーム段数に対応する画角枠の表示座標値とズーム倍率記憶欄７１に記憶されているズーム段数のうち、算出されたズーム倍率に一致または最も近いズーム段数の前後のズーム段数に対応する画角枠の表示座標値を取得し（ステップＳ４−２）、取得した各表示座標値を基にそれぞれの画角枠（データ）を生成し（ステップＳ５）、液晶モニタ画面４に表示されているスルー画像に重ねて表示する（ステップＳ６）。
【００６６】
制御部２２はズームボタン７が開放されるまでズーム駆動部１１−１に制御信号を送り、ズームレンズ１２−１を移動させる（ステップＳ７）。
【００６７】
上記図７のフローチャートに示した動作により、ズームボタン７が押されている間は、ズームレンズ１２−１の位置に応じた画角枠とその画角枠を中心とした画角枠がいくつかスルー画像に重ねて表示されることから、光学ズームの動作完了を待たなくても画角の範囲を確認して構図調整ができ、構図の決定が容易になる。また、所望の構図となった時点でズームボタン７を開放すれば光学ズームも停止するので、所望の画角の画像を撮影することができる。また、ズームレンズ１２−１の現在位置に応じた画角枠の表示範囲のほか、ズームレンズ１２−１の現在位置の前後の画角が表示されるので、構図の比較ができ、構図変更が必要に応じてスムースに行える。
【００６８】
なお、上記図７に示したフローチャートではステップＳ７でズームレンズ１２−１の移動を行うように示したが、実際にはステップＳ７のズームレンズ１２−１の動作と、ステップＳ２〜Ｓ６、ステップＳ８の動作は並行させて行うことが望ましい。
【００６９】
また、上記ステップＳ４−２では設定されたズーム値に一致または最も近いズーム値に対応する画角枠の表示座標値とそのズーム値の前後のズーム段に対応する画角枠の表示座標値を取得するようにしたが、指定されたズーム段の前後の複数のズーム段（例えば、画角枠対応テーブル５０のズーム段数記憶欄５１の前後２ずつのズーム値）に対応する画角枠の表示座標値を取得するようにしてもよい。
【００７０】
また、上記図７のフローチャートのステップＳ６で画角枠を表示する際、図８に示すように表示する各画角枠４２−１、４２−２、４２−３に関連付けてズーム値４３−１、４３−２、４３−３を表示するようにしてもよい。更に、画角枠を表示する際、指定されたズーム段に対応する画角枠と、その前後のズーム段のズーム表示枠の表示色を異なるようにしてもよく、表示するズーム値を反転表示するなどしてズーム値がよく見えるようにしてもよい。
【００７１】
上記実施形態およびその変形例では光学系１２にズーム駆動部１１−１およびＡＦ駆動部１１−２を設け、ズームレンズ１２−１とフォーカスレンズ１２−２を別々に駆動可能とした例で説明したが、本発明はズームレンズ１２−１とフォーカスレンズ１２−２に共通した１つのレンズ駆動部を設け、１つのモータでズーミングとフォーカシングを可能とするいわゆるズームフォーカス方式によりレンズを移動させる撮像装置にも適用できる。
【００７２】
以上、本発明のいくつかの実施例について説明したが本発明は上記各実施例に限定されるものではなく、種々の変形実施が可能であることはいうまでもない。例えば撮像装置という用語は、デジタルカメラやカメラ付き携帯電話機のほか、撮像部を有する情報機器などにも適用し得るものである。
【図面の簡単な説明】
【００７３】
【図１】デジタルカメラの外観構成の一例を示す図である。
【図２】図１に示したデジタルカメラの電子回路構成の一実施例を示す図である。
【図３】光学ズームの概念図である。
【図４】本発明に基づくズーム画角表示方法の説明図である。
【図５】画角枠の座標対応テーブルの説明図である。
【図６】デジタルカメラの撮影時の動作例を示すフローチャートである。
【図７】デジタルカメラの撮影時の動作の変形例を示すフローチャートである。
【図８】本発明に基づくズーム画角表示方法の変形例の説明図である。
【符号の説明】
【００７４】
７  ズームボタン（ズーム値設定手段、ズーム動作指示手段）
１１−１  ズーム駆動部
１２−１  ズームレンズ
２２  制御部（ズーム動作指示手段、画像枠表示情報取得手段、画像枠生成手段）
２６  表示部（画角枠表示手段）
４２−１、４２−２、４２−３  画像枠（画像枠像）
１００  デジタルカメラ（撮像装置）
【図１】
0004609315.tif 000002
【図２】
0004609315.tif 000003
【図３】
0004609315.tif 000004
【図４】
0004609315.tif 000005
【図５】
0004609315.tif 000006
【図６】
0004609315.tif 000007
【図７】
0004609315.tif 000008
【図８】
0004609315.tif 000009